(57)【要約】【課題】差込みコネクタを改良する。【解決手段】バス能力のあるエレクトロニクス（４）を備えた接触仲介部材（１）と、接触仲介部材（１）をハウジング（１６）内に配置するために設けられている固定部材（１０）とを有する、特に導体レーンを備えたバスシステム内の、電気的な負荷（３４）を接触させるための差込みコネクタ（２４）。【選択図】図５
2007509471.tif 000002
【特許請求の範囲】
【請求項１】
バス能力のあるエレクトロニクス（４）を備えた接触仲介部材（１）と、接触仲介部材（１）をハウジング（１６）内に配置するために設けられている固定部材（１０）とを有する、特に導体レーンを備えたバスシステム内の、電気的な負荷（３４）を接触させるための差込みコネクタ（２４）。
【請求項２】
バス能力のあるエレクトロニクス（４）が表面側、特に接触仲介部材（１）の前側（Ｓ１）上に配置されている、請求項１に記載の差込みコネクタ（２４）。
【請求項３】
接触仲介部材（１）の前側（Ｓ１）上に、接触仲介部材（１）ないし接触仲介部材（１）上にあるエレクトロニクス（４）をフラット導体（１４）と接触させるための接触部材（６）が配置されている、請求項２に記載の差込みコネクタ（２４）。
【請求項４】
接触仲介部材（１）の後ろ側（Ｓ２）上に、接触仲介部材（１）ないし接触仲介部材（１）上にあるエレクトロニクス（４）を負荷（３４）と接触させるための接触面（８）または接触部材（６）が配置されている請求項１から３のいずれか１項に記載の差込みコネクタ（２４）。
【請求項５】
接触仲介部材（１）の前側（Ｓ１）と後ろ側（Ｓ２）が、互いに電気的に接続されている、請求項４に記載の差込みコネクタ（２４）。
【請求項６】
固定部材（１０）が開口部（１２）を有しており、前記開口部の寸法が接触仲介部材（１）の寸法にほぼ相当するので、接触仲介部材（１）が固定部材（１０）の開口部（１２）内に配置できる、請求項１から５のいずれか１項に記載の差込みコネクタ（２４）。
【請求項７】
固定部材（１０）がフラット導体（１４）を固定部材（１０）に配置するため、および固定部材（１０）をハウジング（１６）内に配置するための位置決め補助（Ｐ１、Ｐ２）を有している、請求項１から６のいずれか１項に記載の差込みコネクタ（２４）。
【請求項８】
フラット導体（１４）を固定部材（１０）に配置するための固定部材（１０）の位置決め補助（Ｐ１）が、固定部材（１０）の外端縁に一体的に配置された、１つまたは複数の突起（１８）から形成されている請求項７に記載の差込みコネクタ（２４）。
【請求項９】
固定部材（１０）をハウジング（１６）内に配置するための位置決め補助（Ｐ２）が、固定部材（１０）の外側輪郭の突出部（２０、２２）から形成されている請求項７または８に記載の差込みコネクタ（２４）。
【請求項１０】
ハウジング（１６）が、オーバーシェル（１６ａ）とアンダーシェル（１６ｂ）からなる、請求項１から９のいずれか１項に記載の差込みコネクタ（２４）。
【請求項１１】
ハウジング（１６）の大きさと形状が、接触仲介部材（１）と固定部材（１０）がハウジング（１６）の内部に場所を有するように、選択されている、請求項１から１０のいずれか１項に記載の差込みコネクタ（２４）。
【請求項１２】
ハウジング（１６）が少なくとも２つの開口部（３０ａ、３０ｂ）を有しており、その場合に第１の開口部（３０ａ）はフラット導体（１４）を挿通させるためにオーバーシェル（１６ａ）および／またはアンダーシェル（１６ｂ）の側壁の切欠き（２６）によって形成され、第２の開口部（３０ｂ）は接触仲介部材（１）ないし接触仲介部材（１）上にあるエレクトロニクス（４）を負荷と接触させるために、ハウジング（１６）のオーバーシェル（１６ａ）の、あるいはアンダーシェル（１６ｂ）の開口部によって形成される、請求項１から１１のいずれか１項に記載の差込みコネクタ（２４）。
【請求項１３】
オーバーシェル（１６ａ）とアンダーシェル（１６ｂ）が、それらが折り畳むことによってハウジング（１６）に組み立てられるように、１つまたは複数のウェブ（１６ｃ）によって互いに結合されている、請求項１から１２のいずれか１項に記載の差込みコネクタ（２４）。
【請求項１４】
１つまたは複数のウェブ（１６ｃ）が、継手として作用する、請求項１３に記載の差込みコネクタ（２４）。
【請求項１５】
ハウジング（１６）のオーバーシェル（１６ａ）とアンダーシェル（１６ｂ）が係止部材（２８）を有し、前記係止部材が付加的な固定手段なしでハウジング（１６）の組み立てを許す、請求項１から１４のいずれか１項に記載の差込みコネクタ（２４）。
【請求項１６】
ハウジング（１６）が、ハウジング（１６）内に固定部材（１０）を配置するための固定部材（１０）の位置決め補助（Ｐ２）と関連する位置決め補助（Ｐ３）を有しており、前記位置決め補助がハウジング（１６）のオーバーシェル（１６ａ）および／またはアンダーシェル（１６ｂ）の側壁の切欠き（２６）からなるので、ハウジング（１６）が組み立てられた場合に、固定部材（１０）の突出部（２２）がハウジング（１６）の切欠き（２６）内へ嵌入する、請求項１から１５のいずれか１項に記載の差込みコネクタ（２４）。
【発明の詳細な説明】
【技術分野】
【０００１】
本発明は、導体レーンを有し、特にバスシステム内で、負荷を電気的に接触させるための、特に自動車用暖房あるいは空調設備用の、差込みコネクタに関する。
【背景技術】
【０００２】
今日の車両空調設備は、制御装置を介して開ループ制御ないし閉ループ制御され、その制御装置は、中央コンソールないしは計器パネル内に配置されている、操作ユニットを備えた構造的ユニットとして形成されている。操作および制御装置は、スイッチ、キー、ダイヤルなどの操作部材を有しており、その操作部材を介して、所望の温度、所望の空気分配などのような、ユーザー調節を入力することができる。入力された信号は、制御装置内で電子的に処理されて、電気的接続、通常円形導体、を介して空調設備へ供給され、その空調設備は空気案内ハウジングとその中に配置されているフィルタ、熱交換器、空気流制御部材、アクターおよび場合によってはセンサを有している。ケーブルハーネスを介して、センサとアクター、たとえば空気流制御部材のためのステッピングモータ、送風機のような空調装置の電気的コンポーネントが互いに接続されている。
【０００３】
多くのアクターとセンサは、全体として配線の手間の増大、すなわち個々の電気的コンポーネントを接触させるための手間の増大およびそれに伴うコストをもたらす。通常、取り付ける場合に、電気的接触はコネクタによって行われ、そのコネクタは取り付ける際に対応する差込みジャック内へ差し込まれる。これは、該当するコンポーネントないし導線の組込み前または組込み後に行われる。さらに、コンポーネントを取り外す場合に、工具を用いてボルトを緩めて、差込み接続を分離しなければならない。さらに、コネクタとそれに応じた差込みジャックを使用する場合に、それぞれ少なくとも３つの接触箇所が設けられ、それが全体として潜在的エラー源となる。
【０００４】
従来技術（たとえば、特許文献１を参照）からは、車両組込み部品、特に窓ガラス内に一体化された、フラットなアンテナ導体構造の接触が知られている。その場合に接触させるために、車両組込み部品上に配置された、第１の接触手段と、ボディ側で少なくとも１つの接触基部に配置された、第２の接触手段が設けられている。第１の接触手段の、対応する第２の接触手段との接触は、組み込む際に車両組込み部品と接触基部との間の相対移動によって行われ、その場合に相対移動は、一方で、接触基部がすでに組み込まれている場合には、車両組込み部品によって、たとえば上に載せることによって、他方で、車両組込み部品がすでに組み込まれている場合には、接触基部によって、たとえば上に載せることによって、実施される。しかし、この種の接触は、まだ解決されていない課題を残している。
【０００５】
今日のバスシステムは、通常、市場で一般的な円形導体差込み接点を有する円形導体とエレクトロニクス内蔵の負荷、たとえばステッピングモータとからなる。エレクトロニクスが故障した場合に、負荷、たとえばステッピングモータは、エレクトロニクスと一緒に交換されて、廃棄される。負荷からのエレクトロニクスの分離は、極めて高いコストと手間をかけないと実現できない。
【０００６】
従来の接触においては、導体と負荷の接点との間に、多数の接触箇所が必要とされる。同時にコネクタを有する円形導体、エレクトロニクスおよび負荷というコンプリートシステムが、多くの組込み空間を必要とする。
【特許文献１】ドイツ公開公報ＤＥ１９６０５９９９Ａ１
【発明の開示】
【発明が解決しようとする課題】
【０００７】
本発明の課題は、改良された差込みコネクタを提供することである。
【課題を解決するための手段】
【０００８】
この課題は、請求項１の特徴を有する差込みコネクタ（すなわち、バス能力のあるエレクトロニクスを備えた接触仲介部材と、接触仲介部材をハウジング内に配置するために設けられている固定部材とを有する、特に導体レーンを備えたバスシステム内の、電気的な負荷を接触させるための差込みコネクタ）によって、解決される。好ましい形態が、従属請求項の対象である。
【発明の実施の形態】
【０００９】
本発明に基づく差込みコネクタは、バス能力のあるエレクトロニクスを備えた接触仲介部材と、接触仲介部材をハウジング内に配置するために設けられた固定部材とを有している。
【００１０】
接触仲介部材は、好ましくは、ほぼ矩形の基本形状を有するフラットな構成部品であって、その幅が使用されるフラット導体の幅にほぼ相当する。接触仲介部材のために、両面のプレートが好ましい。しかしまた、接触仲介部材がフレキシブルなプレート（ＦＰＣ）、プラスチックからなるＭＩＤ構成部品または回りに吹き付けされた打抜き格子であることも可能である。好ましい形態において、接触仲介部材の表面側に、バス能力を有するエレクトロニクスが配置されている。
【００１１】
接触仲介部材の表面側の１つ、たとえば前側に、接触仲介部材をフラット導体と、ないしは接触仲介部材上にあるエレクトロニクスをフラット導体と接触させるための、好ましくは弾性的な、接触部材、たとえばばね接点が設けられている。好ましい形態においては、接触仲介部材の前側上には、さらに、バス能力のあるエレクトロニクス、たとえばＡＳＩＣと様々なＳＭＤ構成部品が設けられている。
【００１２】
接触仲介部材の後ろ側上には、接触仲介部材を負荷と、ないしは接触仲介部材上にあるエレクトロニクスを負荷と接触させるための接触面が設けられている。接触面の代りに、負荷に接触するために、そこに弾性的な接触部材、たとえばばね接点を設けることができる。接触仲介部材の前側（＝接触仲介部材とフラット導体の間の接触）と接触仲介部材の後ろ側（＝接触仲介部材と負荷の間の接触）は、互いに電気的に接続されている。
【００１３】
固定部材は、好ましくはほぼ矩形の基本形状を有するフラットな構成部品であって、その寸法、幅と長さは、使用される接触仲介部材の対応する寸法よりも大きい。固定部材は、開口部を有しており、その寸法は接触仲介部材の寸法にほぼ相当するので、接触仲介部材を固定部材の開口部内に配置することができる。
【００１４】
固定部材は、たとえば射出成形によってプラスチックから形成することができる。好ましい形態において、固定部材はフラット導体を固定部材に配置するため、および固定部材をハウジング内に配置するための位置決め補助を有している。フラット導体を固定部材に配置するための位置決め補助は、好ましくは固定部材の外端縁に一体的に形成された、１つまたは複数の突起の形状で形成されている。固定部材をハウジング内に配置するための位置決め補助は、固定部材の外側輪郭の切欠きまたは突出部の形状で、あるいは孔または突起の形状で、形成することができる。好ましくはこの位置決め補助は、固定部材の外側輪郭の突出部の形状で形成されている。
【００１５】
ハウジングは、オーバーシェルとアンダーシェルとからなり、それらはたとえば射出成形方法でプラスチックから形成されている。好ましくはオーバーシェルとアンダーシェルは、それらが折り畳まれてハウジングに組み立てられることができるように、１つまたは複数の弾性的なウェブによって互いに結合されており、その場合に１つまたは複数の弾性的なウェブが継手として作用する。特に好ましい形態において、ハウジングのオーバーシェルとアンダーシェルは係止手段を有しており、その係止手段がボルトなどのような付加的な固定手段なしで、ハウジングの組み立てを許す。
【００１６】
ハウジングの大きさと形状が、接触仲介部材と固定部材をハウジングの内部に収容することを許す。ハウジングは、好ましい形態において、固定部材をハウジング内に配置するための固定部材の位置決め補助と関連する、位置決め補助を有している。固定部材をハウジング内に配置するためのハウジングの位置決め補助は、側壁の切欠きまたは突出部の形式で、あるいは孔または突起の形式で形成することができる。好ましくはこの位置決め補助は、ハウジングのオーバーシェルおよび／またはアンダーシェルの側壁の切欠きの形式で形成されているので、ハウジングが組み立てられた場合に、固定部材の外側輪郭の突出部がハウジングの側壁の切欠き内へ嵌入する。
【００１７】
ハウジングは、少なくとも２つの開口部を有しており、第１の開口部はフラット導体を挿通させるために用いられ、第２の開口部は接触仲介部材を負荷と、ないしは接触仲介部材上にあるエレクトロニクスを負荷と接触させるために用いられる。第１の開口部は、オーバーシェルの側壁またはアンダーシェルの側壁の切欠きによって、あるいはそれぞれオーバーシェルとアンダーシェルの側壁の切欠きによって形成することができる。第２の開口部は、ハウジングのオーバーシェルの開口部によって、あるいはアンダーシェルの開口部によって形成される。
【００１８】
差込みコネクタを組み立てるために、まず、フラット導体が固定部材に位置決めされる。そのために、フラット導体が固定部材の位置決め補助に位置決めされる。位置決め補助が、位置決め部材の端縁に一体的に形成された突起からなる場合に、その突起がそれ用に設けられている、フラット導体の開口部内へ導入される。
【００１９】
次に、フラット導体が固定部材上で反対側の端縁へ案内される。その場合にフラット導体が固定部材の開口部を覆い、その開口部の寸法が接触仲介部材の寸法にほぼ相当する。その後接触仲介部材が固定部材の開口部内へ、その前側がフラット導体と接触するように挿入されて、固定部材の開口部内へ押し込まれる。
【００２０】
その後、固定部材が、挿入された接触仲介部材およびそれらの間に延びるフラット導体と共に、ハウジングのオーバーシェルまたはアンダーシェル内へ挿入されて、次にハウジングが組み立てられるので、フラット導体がハウジングの第１の開口部を通って延び、負荷を接触させるための接触仲介部材の接点が、ハウジングの第２の開口部を通して外部から接近できる。
【００２１】
固定部材と接触仲介部材とを有する、包囲するハウジングは、いわゆるスマートコネクタであって、それがフラット導体と接続されている。
【００２２】
このスマートコネクタが、その後、負荷を接触させるための接触仲介部材の、外部から接近できる接点によって負荷に、スマートコネクタがその接点と負荷の対応する接点、たとえばばね接点とによって電気的接続をもたらすように、取り付けられる。
【００２３】
本発明によって、ケーブルレーン、バス能力のあるエレクトロニクスおよび負荷の間を接触させる改良されたシステムが提供され、そのシステムがケーブルレーンを安価かつ可変に形成し、同時にケーブルレーンから周辺機器へのインターフェイスを標準化することを可能にする。
【００２４】
本発明に基づく差込みコネクタによって、ケーブルレーンを標準化することが可能である。というのは、種々の変形例の間の唯一の差は、導線長さ、負荷の数、エレクトロニクスの数およびその位置が変化することにあるからである。従ってエレクトロニクスを含めた負荷の位置は、ケーブルレーンを全自動で形成する場合に、製造設備のソフトウェアのみによって変更することができる。ケーブルレーン形成は、単純化され、コストが節約される。
【００２５】
本発明の他の利点は、修理の場合にエレクトロニクスまたは負荷の交換が簡単なことであって、それによって修理のコストと手間が低下する。
【００２６】
導体から負荷の接点までの接触箇所の減少も、同様にポジティブに評価される。というのは、接触箇所のこの減少によって、ケーブルレーンの品質が向上するからである。
【実施例】
【００２７】
図面を用いて、本発明の実施例を詳細に説明する。
【００２８】
すべての図において、互いに相当する部分には、同一の参照符号が設けられている。
【００２９】
図１には、接触仲介部材１（構造支持体ユニットとも称する）の表面側、たとえば前側Ｓ１が示されている。
【００３０】
接触仲介部材１の前側Ｓ１上に、バス能力を有するエレクトロニクス４が配置されている。さらに、接触仲介部材１の前側Ｓ１に、接触仲介部材１上にあるエレクトロニクス４を電気的／電子的に接触させるための接触部材６としての弾性的なばね接点が配置されている。
【００３１】
図２には、接触仲介部材１の後ろ側Ｓ２が示されている。
【００３２】
接触仲介部材１の後ろ側Ｓ２上には、接触仲介部材１上にあるエレクトロニクス４を負荷と電気的／電子的に接触させるための接触面８が配置されている。
【００３３】
図３には、固定部材１０が示されており、その固定部材は接触仲介部材１を簡単に取り付け、かつ確実に配置するために設けられている。
【００３４】
固定部材１０は、フラットな、ほぼ矩形の構成部品であって、その外側寸法、長さと幅は、接触仲介部材１の対応する寸法よりも大きい。固定部材１０は、矩形の開口部１２を有しており、その寸法は接触仲介部材１の寸法にほぼ相当するので、接触仲介部材１は固定部材１０の開口部１２内に配置することができる。
【００３５】
固定部材１０は、プラスチックから一体的に形成されており、図４に示すように、固定部材１０にフラット導体１４を配置するため、ないし図５に示すように、ハウジング１６内に固定部材１０を配置するための位置決め補助Ｐ１とＰ２を有している。
【００３６】
固定部材１０にフラット導体１４を配置するための位置決め補助Ｐ１は、固定部材１０の前側の外端縁に形成された２つの突起１８からなる。ハウジング１６内に固定部材１０を配置するための位置決め補助Ｐ２は、固定部材１０の外側輪郭の２対の突出部２０、２２からなる。その場合に突出部の第１の対２０は、固定部材１０の前側の、２つの突起１９も設けられている、外端縁の端部に配置されており、突出部の第２の対２２は、固定部材１０の２つの対向する側方外端縁のそれぞれ一方に配置されている。
【００３７】
図４には、固定部材１０が挿入されたフラット導体１４と共に示されている。
【００３８】
固定部材１０にフラット導体１４を位置決めするために、固定部材１０にフラット導体１４を配置するための位置決め補助Ｐ１の突起１８が、フラット導体１４にそのために設けられている開口部内へ導入される。次に、フラット導体１４が固定部材１０上で反対側の端縁まで案内される。その場合にフラット導体１４が固定部材１０の開口部１２を覆い、その寸法は、接触仲介部材１の寸法にほぼ相当する。換言すると：接触仲介部材１は、矩形の両面のプレートであって、その幅が使用されるフラット導体１４の幅にほぼ相当する。接触仲介部材１の前側Ｓ１と後ろ側Ｓ２は、互いに電気的に接続されている。
【００３９】
図５には、本発明に基づく差込みコネクタ２４のすべての構成部品−接触仲介部材１、固定部材１０、ハウジング１６およびフラット導体１４が、第１の組立てステップにおいて示されている。
【００４０】
ハウジング１６は、オーバーシェル１６ａ、アンダーシェル１６ｂおよびオーバーシェル１６ａとアンダーシェル１６ｂを結合する横側と縦側のウェブ１６ｃからなる、プラスチック成形部品である。横側のウェブ１６ｃは、ハウジング１６の幅全体にわたってはおらず、該当するハウジング側の両方の端部にそれぞれ一部を残しており、その幅が、固定部材１０の前側の外端縁の端部に配置された突出部２０の幅にほぼ相当する。
【００４１】
それによってオーバーシェル１６ａとアンダーシェル１６ｂは、折り畳むことによってハウジング１６として組み立てられることができ、その場合に横側のウェブ１６ｃは継手として作用し、組み立てられた状態においてハウジング１６の側壁を形成する。それぞれハウジング１６の種類と形成に応じて、横側のウェブ１６ｃおよび／または縦側のウェブ１６ｃを弾性的に、あるいは安定した形状に形成することができる。横側のウェブ１６ｃの両側において、ハウジング１６の側壁に切欠き２６が設けられており、その切欠きはハウジング１６内に固定部材１０を配置するための位置決め補助Ｐ２を収容するのに適している。ハウジング１６のオーバーシェル１６ａとアンダーシェル１６ｂは、横側のウェブ１６ｃとは反対の側に係止部材２８を有しており、その係止部材が付加的な固定手段なしでハウジング１６の組立てを許す。
【００４２】
ハウジング１６の大きさと形状が、接触仲介部材１と固定部材１０をハウジング１６の内部に配置することを許す。ハウジング１６は、ハウジング１６のオーバーシェル１６ａとアンダーシェル１６ｂの側壁または縦側のウェブ１６ｃ内に切欠き２６の形状の位置決め補助Ｐ３を有しており、それがハウジング１６内に固定部材１０を配置するための固定部材１０の位置決め補助Ｐ２と互いに関連するので、ハウジング１６が組み立てられた場合に、固定部材１０の外側端縁の突出部２２が、ハウジング１６の側壁の切欠き２６内へ嵌り込む。
【００４３】
ハウジング１６は、さらに、２つの開口部３０ａ、３０ｂを有しており、その場合に第１の開口部３０ａはフラット導体１４を挿通させるために用いられ、第２の開口部３０ｂは接触仲介部材１を負荷と、ないしは接触仲介部材１上にあるエレクトロニクス４を負荷と、接触させるために用いられる。
【００４４】
第１の開口部３０ａは、ハウジング１６のオーバーシェル１６ａもアンダーシェル１６ｂも横側ウェブ１６ｃと対向する側に側壁を持たないことによって、形成されている。それによって組み立てられた状態においてハウジング１６のこの側が開放したままとなる。第２の開口部３０ｂは、オーバーシェル１６ａの矩形の開口部によって形成されている。
【００４５】
まず、フラット導体１４が上述したように固定部材１０に位置決めされる。その後、ハウジング１６内に固定部材１０を配置するための固定部材１０の位置決め補助Ｐ２を形成する、固定部材１０の外側輪郭の２つの突出部２０が、縦側のウェブ１６ｃの両側に残された２つの切欠き２６内へ嵌入するように、固定部材１０が開放されたハウジング１６内へ挿入される。
【００４６】
接触仲介部材１は、その前側Ｓ１がフラット導体１４に接触されるように、固定部材１０の開口部１２内へ挿入されて、固定部材１０の開口部１２内へ押し込まれる。その場合に接触仲介部材１の前側Ｓ１上の電気的な接触部材６とフラット導体１４の導体路との間に電気的な接触が生じる。同時に、バス能力を有するエレクトロニクス４が包み込まれるので、エレクトロニクスが外部の影響から保護される。
【００４７】
図６には、本発明に基づく差込みコネクタ２４の構成部品が、第２の組み立てステップにおいて示されている。
【００４８】
接触仲介部材１が、固定部材１０の開口部１２内へ挿入されている。ハウジング１６は、まだ開放しており、その場合にオーバーシェル１６ｂ内にある第２の開口部３０ｂが、接触仲介部材１の外側を向いた後ろ側Ｓ２の上に来ている。その後ハウジング１６は、折り畳んで、オーバーシェル１６ａとアンダーシェル１６ｂの係止部材２８を係止させることによって、組み立てられる。
【００４９】
図７には、本発明に基づく差込みコネクタ２４の構成部品が、第３の組み立てステップにおいて示されている。
【００５０】
ハウジング１６は、折り畳んでオーバーシェル１６ａとアンダーシェル１６ｂの係止部材２８を係止させることによって組み立てられている。フラット導体１４は、ハウジング１６の第１の開口部３０ａを通してこのハウジング内へ延びている。ハウジング１６の第２の開口部３０ｂは接触仲介部材１の後ろ側Ｓ２上に配置された接触面８の上に位置決めされているので、接触仲介部材１上にあるエレクトロニクス４が負荷と接触することができる。
【００５１】
図８には、負荷３４の接触箇所３２が示されている。
【００５２】
接触箇所には、弾性的な接触部材３８と本発明に基づく差込みコネクタ２４のための保持機構４２が配置されている。
【００５３】
図９には、負荷３４の接触箇所３２が、結合された本発明に基づく差込みコネクタ２４と共に示されている。
【００５４】
本発明に基づく差込みコネクタ２４が、本発明に基づく差込みコネクタ２４のための保持機構３８内へ挿入されている。ハウジング１６の第２の開口部３０ｂが、負荷３４の接触箇所３２の弾性的な接触部材３６へ向いているので、この弾性的な接触部材３６と接触仲介部材１の後ろ側Ｓ２の接触面との間に電気的な接触が存在する。
【図面の簡単な説明】
【００５５】
【図１】差込みコネクタのための接触仲介部材の表面側、たとえば前側を図式的に示す斜視図である。
【図２】図１に示す接触仲介部材の後ろ側を示す斜視図である。
【図３】差込みコネクタのための固定部材を示す斜視図である。
【図４】挿入されたフラット導体を有する固定部材を示す斜視図である。
【図５】本発明に基づく差込みコネクタの構成部品を、第１の組立てステップにおいて示している。
【図６】本発明に基づく差込みコネクタの構成部品を、第２の組立てステップにおいて示している。
【図７】本発明に基づく差込みコネクタの構成部品を、第３の組立てステップにおいて示している。
【図８】負荷の接触箇所を示している。
【図９】結合された本発明に基づく差込みコネクタを有する負荷の接触箇所を示している。
【符号の説明】
【００５６】
１  接触仲介部材
４  バス能力を有するエレクトロニクス
６  接触部材
８  接触面
１０  固定部材
１２  開口部
１４  フラット導体
１６  ハウジング
１６ａ  オーバーシェル
１６ｂ  アンダーシェル
１６ｃ  ウェブ
１８  突起
２０  突出部の第１のペア
２２  突出部の第２のペア
２４  差込みコネクタ
２６  切欠き
２８  係止部材
３０ａ  第１の開口部
３０ｂ  第２の開口部
３２  接触箇所
３４  負荷
３６  接触部材
３８  保持機構
Ｐ１、Ｐ２、Ｐ３  位置決め補助
Ｓ１  前側
Ｓ２  後ろ側
【図１】
2007509471.tif 000003
【図２】
2007509471.tif 000004
【図３】
2007509471.tif 000005
【図４】
2007509471.tif 000006
【図５】
2007509471.tif 000007
【図６】
2007509471.tif 000008
【図７】
2007509471.tif 000009
【図８】
2007509471.tif 000010
【図９】
2007509471.tif 000011
【国際調査報告】
2007509471.tif 000012
2007509471.tif 000013
2007509471.tif 000014
2007509471.tif 000015